(57)【要約】【課題】容易に持ち運びができるとともに、使用後の充填物による汚れも回避でき、デザイン的な斬新さも楽しめるポーションカップを提供すること。【解決手段】被挿通体に挿通するための空間が形成されたポーションカップ。【選択図】図１
2015147581.tif 000002
【特許請求の範囲】
【請求項１】
被挿通体に挿通するための空間が形成されたポーションカップ。
【請求項２】
充填物を充填する容器部分により被挿通体に挿通するための空間が形成されたポーションカップ。
【発明の詳細な説明】
【技術分野】
【０００１】
本発明は、ストローなどを通すことができるように空間が形成されたポーションカップに関する。
【背景技術】
【０００２】
従来、指先で摘んで内容物（ガムシロップやコーヒーミルク等）を注出して使用する小型の使い捨て容器であるポーションカップは、いわゆるバケツ型のものが知られている。
【０００３】
コーヒースタンド等におけるテイクアウト用のアイスコーヒー等を購入した際、ポーションカップに入っているガムシロップやコーヒーミルクを、飲み物自体の容器とは別にそれぞれ受け取ると小さい複数の別体であることなどから持ち運び難いうえに、１人で複数人分等の複数のアイスコーヒー等をまとめて購入した場合には、すぐに捨てるのに紙袋等が必要となってしまい資源の無駄となっている。
【０００４】
また、テイクアウト用のアイスコーヒー等は購入したその場ではなく、屋外で飲むことも多く、その際にガムシロップやコーヒーミルクをアイスコーヒー等に入れ終わった使用済みのポーションカップは、ゴミ箱等が見当たらなくすぐに捨てられないことも多い。さらに、使用済みのポーションカップをすぐに捨てられないと僅かに残ったシロップやミルク等の充填物で手指や車のシート等を汚してしまうなどの難点があった。
【０００５】
上記の事情から、コーヒーを収納するカップ本体の内側上部に、仕切り板と隔板を設けて、飲み口および砂糖収納部とミルク収納部を形成し、砂糖収納部とミルク収納部の底部にストローや掻き混ぜスティックで容易に突き破れる底板を備えることで、公園でコーヒーカップと砂糖とミルクを別々の容器で運ぶ面倒をなくし、ゴミの処理を容易にしたコーヒーカップを提供する技術が開示されている（特許文献１参照）。
【先行技術文献】
【特許文献】
【０００６】
【特許文献１】特開２００３−２３７７８６号公報
【発明の概要】
【発明が解決しようとする課題】
【０００７】
しかしながら、上記の関連技術は、ポーションカップ自体により上述の各問題点を解決するものではなく、コーヒー等のカップ本体に工夫を凝らすのでコストや手間がかかるものである。
【０００８】
本発明の目的は、容易に持ち運びができるとともに、使用後の充填物による汚れも回避でき、デザイン的な斬新さも楽しめるポーションカップを提供することにある。
【課題を解決するための手段】
【０００９】
本発明の第一のポーションカップは、被挿通体に挿通するための空間が形成されている。
このように構成することにより、飲み物の容器の蓋部に差し込まれているストローなどの被挿通体に挿通して当該蓋部に複数であっても順に載置することができるので容易に持ち運びができるとともに、使用後の収容場所も確保されるため充填物による汚れも回避しつつ廃棄が容易となり、デザイン的な斬新さも楽しめる。
【００１０】
本発明の第二のポーションカップは、充填物を充填する容器部分により被挿通体に挿通するための空間が形成されている。
このように構成することにより、充填物を充填する容器部分により被挿通体に挿通するための空間が形成され、飲み物の容器の蓋部に差し込まれているストローなどの被挿通体を当該空間に挿通して当該蓋部に複数であっても順に載置することができるので容易に持ち運びができるとともに、使用後の収容場所も確保されるため充填物による汚れも回避しつつ廃棄が容易となり、デザイン的な斬新さも楽しめる。
【発明の効果】
【００１１】
本発明によれば、容易に持ち運びができるとともに、充填物による使用後の汚れも回避でき、デザイン的な斬新さも楽しめるポーションカップを提供することができる。
【図面の簡単な説明】
【００１２】
【図１】本発明の実施の形態に係るポーションカップの構成を示す図である。
【図２】本発明の実施の形態に係るポーションカップの第一の使用方法を説明する図である。
【図３】本発明の実施の形態に係るポーションカップの第二の使用方法を説明する図である。
【図４】本発明の実施の形態に係るポーションカップの第三の使用方法を説明する図である。
【図５】本発明の実施の形態に係るポーションカップの第四の使用方法を説明する図である。
【図６】本発明の実施の形態に係るポーションカップの第五の使用方法を説明する図である。
【発明を実施するための形態】
【００１３】
以下、本発明の実施の形態を図面を参照しつつ説明する。本実施形態のポーションカップＰは、剥して除去可能なトップシールとともに密閉容器を構成するものである。
【００１４】
図１に示すように、本実施形態のポーションカップＰは、コーヒーや紅茶用のミルク、ガムシロップ、又は濃縮コーヒーや濃縮紅茶、ソース、ドレッシング、ジャムなどの流動体・半流動体を収納・保存するための容器として必要とされる剛性を備え、かつ、熱成形性やトリミングにおける打ち抜き性に優れるポリスチレン系樹脂よりなる。ポリエチレン系樹脂製、ポリプロピレン系樹脂製等の熱成形（真空成形）品であってもよい。所定の厚み寸法であってよく、例えば既知のバケツ型の容器と同等の０．２ｍｍ程度であってもよい。
本実施形態のポーションカップＰは、平面視において外径が約４５ｍｍで内径が約１５ｍｍの略リング型（上端外周縁に周設されたフランジ部にトップシールの剥離を容易化するために一側方に延出した舌片部を備える。）である。また、ポーションカップＰの高さ寸法は約１０ｍｍである。寸法は一例であり、本発明の効果を奏する限り、適宜の寸法としてよい。
外周縁及び内周縁の少なくともいずれかにトップシールを貼着させるためのフランジ部（例えば幅寸法２ｍｍ）が設けられていてもよい。
このようなサイズとすることで１回分の使いきりに適量のガムシロップやミルク等を収容することができる。さらに従来に無い高いデザイン性が実現でき、看者の興趣を惹起することができる。
【００１５】
ポーションカップＰの形状は一例であり、平面視においてリング状でも、四角でも、三角でも、多角形でも、Ｕ字状、コ字状、Ｓ字状、渦巻き状等であってもよく、また全体としての立体形状が螺旋状等であってもよく、被挿通体に挿通するための空間（ストロー、棒状のホルダー、マドラー等を通すことができる空間）が形成される態様であれば広く含む。
トップシールを全部取ると、重ねることが可能な形状としてもよいし、ポーションカップＰの１つに、仕切り板を設けて混じり合わないようにして複数の液体等を収容してもよい。
【００１６】
図１に示すようにトップシールに所定の印刷等を施し広告効果を高めてもよい。
このトップシールはポーションカップＰの本体部分から全部剥ぎ取らないことを前提として、全部を取れないように端部をポーションカップＰの本体部分に接着等されていてもよい。
【００１７】
本実施形態のポーションカップＰの製造方法の一例を以下に説明する。
まず、プラスチックシートロールから真空トレー成型により数個の連続した凹部を形成し、シート状のカップ個数に合わせた充填ノズルで同時に内容物をカップ上又はカップ内において充填する。
次に、あらかじめ所定の印刷が施されたロール状のアルミやプラスチックシート等のトップシールを熱融着や高周波プレス等により密着状に固着した状態とする。
そして、カップ位置に合わせ刃物でシート状になっていたカップを打ち抜き切り離す。液漏れが無いかや液量が規定通り充填されているか等のウエイトチェックをして完成となる。
【００１８】
図２に本実施形態のポーションカップＰの第一の使用方法を示す。
略リング型のポーションカップＰは、飲み物自体の容器の蓋部のストローを挿通して当該蓋部の上に載置可能としたものである。重ねて複数のポーションカップＰを載置することもできる。
したがって、従来、店員さんが蓋部にバケツ型のポーションカップを載せて渡してくれるが、不安定で歩いているうちに落としてしまうなどの不都合も回避される。
また、両手にそれぞれ飲み物自体の容器を持って２個運ぶ場合であっても安定してポーションカップＰを持ち運ぶことができる。
さらに、飲む前にストローも袋入りの状態で渡される場合等であっても、飲み終わった使用後の廃棄や置き場所として活用でき、内容物により手を汚したり、周辺に飛び散り衣服や車のシート等を汚す等の問題も解消できる。
【００１９】
図３に本実施形態のポーションカップＰの第二の使用方法を示す。
コーヒーショップ等の店内に設置するホルダーに複数のポーションカップＰを挿通して保管しておき、テイクアウトの際、店内でガムシロップやミルクを飲み物自体の容器に入れていく場合でもホルダーからポーションカップＰを取って使うこととなるので、ディスプレイ効果も生じる。
【００２０】
図４に本実施形態のポーションカップＰの第三の使用方法を示す。
店内で飲食する際に提供するホルダーに複数のポーションカップＰを挿通してテーブルまで運搬して提供する。
従来は小さな容器（バスケット等）の中にいくつかガムシロップとミルクのポーションカップを入れてお客様のテーブルに提供していたが、スタンドタイプのホルダーで提供することができる。
【００２１】
図５に本実施形態のポーションカップＰの第四の使用方法を示す。
ホルダーに複数のポーションカップＰを挿通してポーション型フレーバーシロップのギフトパッケージ等として利用できる。すなわち、牛乳にいれて抹茶ラテにしたり、コーヒーに入れてフレーバーコーヒーにするポーションシロップをリボンなどと共にお洒落にギフトパッケージとすることができる。なお、形状を活かして真ん中に通すホルダーをマドラーなどとして、すべてのポーションカップＰを使用し終わった後に今後も継続して使うことができるモノ（マドラー）が残るギフトとしても利用できる。
【００２２】
上記の本実施形態のポーションカップＰによれば、ストロー等に通して容易に持ち運びができるとともに、使用後の汚れも回避でき、デザイン的な斬新さも楽しめる。また、紙袋やドリンクホルダー等が不要となり低コスト・省資源にも貢献できる。さらに、飲み物自体の容器と一体的に保管・運搬・廃棄等が可能であり便利である。すなわち、映画館やスポーツ観戦時のスタジアム等の個人のスペースが限定され、ゴミ箱等が付近に無い場所や、ドライブ時の車内等の揺れる空間などでは使用後の空のポーションカップＰをストローに通して飲み物自体の容器の蓋の上に載置し、最後に飲み物を飲み終わって一緒に捨てられると便利となる
【００２３】
図６に本実施形態のポーションカップＰの第五の使用方法を示す。
従来は店内のセルフサービスコーナーでは雑然としがちで、バスケットにどさっと置かれている状況であり賞味期限の管理も行い難かったが、形状の特性を活かした什器を備えることでスッキリと見え、また、一方向の流れができるので常に古い物（消費期限が近い）から提供していくことができ、うっかり一つだけ古い物が残る等ということが防止される。
【００２４】
その他、一々例示はしないが、本発明は、その趣旨を逸脱しない範囲内において、各構成部分の大きさや形状を含む種々の変更が加えられて実施されてよい。なお、必ずしも被挿通体に挿通した状態のみでなく、ポーションカップＰ単体であってもそのままの形状がデザイン面等で訴求する効果を奏する。
【符号の説明】
【００２５】
Ｐ      ポーションカップ
【図１】
2015147581.tif 000003
【図２】
2015147581.tif 000004
【図３】
2015147581.tif 000005
【図４】
2015147581.tif 000006
【図５】
2015147581.tif 000007
【図６】
2015147581.tif 000008